(57)【要約】【課題】本発明は、製品規格として定められる耐久性の基準にあわせて、製品を構成する個別部品のなかから、監視対象とすべき有寿命部品を選択し、その寿命管理を簡便かつち適切に実行すること、および、システム全体の寿命管理をタイミングよく効率的に実行することを課題とする。【解決手段】本発明は、監視対象部品の積算時間が耐用年数を超過またはこれに近接しているときは、超過または近接をそれぞれ区別して、前記ナースコール親機の画面に表示できるようにしたことを特徴とする。【選択図】図２
2007011435.tif 000002
【特許請求の範囲】
【請求項１】
ナースステーションなどに設置され、病室にいる患者と相互に呼出通話が可能な液晶画面付ナースコールナースコール親機と、病室の出入口に設置され、患者の呼出状態を表示する複数の個別廊下灯と、病室などに設置され、前記ナースコール親機と相互に呼出、通話ができるナースコール子機とを相互に有線で接続して構成したナースコールシステムにおいて、
前記ナースコール親機および複数の前記個別廊下灯を構成する部品の中から、耐用年数の定まった有寿命部品を選び、さらにその中から監視すべき監視対象部品を選別設定する手段と、前記監視対象部品の稼動開始日時または交換日時を入力する手段と、前記稼動開始日時または前期交換日からの稼働時間を積算できるタイマ手段とを有し、前記タイマ手段で計測された積算時間と前記監視対象部品の耐用年数とを比較し、全監視対象部品の中の少なくとも１つの監視対象部品の稼動積算時間が耐用年数を超過またはこれに近接したときは、超過または近接をそれぞれ区別して、前記ナースコール親機の待機画面に表示できるようにしたことを特徴とするナースコールシステム。
【請求項２】
ナースコール親機および複数の個別廊下灯別に、監視対象部品名、稼動開始日（交換日）、稼動実績時間、交換予定日、余寿命を含む情報からなる製品別余寿命一覧表を表示できるようにしたことを特徴とする請求項１記載のナースコールシステム。
【請求項３】
前記製品別余寿命一覧表において、交換予定日に対し、超過または近接状態にある有寿命部品を強調表示できるようにしたことを特徴とする請求項１または請求項２記載のナースコールシステム。
【発明の詳細な説明】
【技術分野】
【０００１】
本発明は、病院や介護施設で使用されるナースコールシステムに係わり、特に、ナースコール親機、個別情報廊下灯などを構成する素材部品の中から、耐用年数の定まった有寿命部品を監視対象部品として選択し、選択した該監視対象部品の経年変化乃至劣化状態を、総合的に集中管理できるようにしたナースコールシステムに関する。
【背景技術】
【０００２】
特許文献１には、設定スイッチで点検周期を設定し、電源投入に連動してスタートするタイマー回路を利用して、設定した点検時期になると、ＬＥＤを点灯させて、点検実行を督促できるようにしたセキュリティ装置が記載されている。
【特許文献１】・・・・特開２０００−２８５３５３号公報
【発明の開示】
【発明が解決しようとする課題】
【０００３】
特許文献１記載のセキュリテイ装置は、火災感知器、ガス検知器、サービスセンサーなど、特定のセンサー部品の点検周期を設定し、これを守ることによりセンサー部品の保守はできるが、システム全体の性能保全を企図するものではない。
【０００４】
本発明は、製品規格として定められる製品信頼性または耐久性の基準にあわせて、製品を構成する個別部品のなかから、監視対象とすべき有寿命部品を選択し、その寿命管理を簡便かつち適切に実行することを課題とする。
【０００５】
本発明は、また、ナースコールシステムを構成する個別の製品の劣化情報を取得し、システム全体の寿命管理をタイミングよく効率的に実行することを課題とする。
【課題を解決するための手段】
【０００６】
本発明は、監視対象部品の積算時間が耐用年数を超過またはこれに近接しているときは、超過または近接をそれぞれ区別して、前記ナースコール親機の待機画面に明確に表示できるようにしたことを特徴とする。
【０００７】
また、本発明は、ナースコールシステムを構成する各製品別の、監視対象部品名、稼動開始日（交換日）、稼動実績時間、交換予定日、余寿命を含む情報からなる製品別余寿命一覧表を表示できるようにしたことを特徴とする。
【発明の効果】
【０００８】
本発明によれば、ナースコールシステムを構成する各製品に使用されている部品で、監視対象部品として指定されている有寿命部品の少なくとも１つでも、その稼動積算時間が部品個有の耐用年数に近づいているか、それとも超過したかどうかを容易に把握できる。すなわち、超過ボタン、近接ボタンの例えば色の変化などで確認することができる。
【０００９】
また、本発明によれば、ナースコールシステムを構成する各製品の部品の劣化状況を一覧できるので、効率的な保守スケジュールの作成が可能である。
【発明を実施するための最良の形態】
【００１０】
図１は、この発明の一実施例を示すナースコールシステムの構成図でである。
１はナースステーションなどに設置されるナースコール親機で、タッチパネル付の液晶画面および送受器を含む通話部を有する。このナースコール親機１は、一般にコンピュータナースコールとも称され、内部には、ＣＰＵ、ＲＡＭ、ＲＯＭ、外部機器接続インターフェース、タイマ手段などを具備し、ＣＰＵの制御により動作する。
【００１１】
２は各病室の出入り口などに設置される個別廊下灯で、図示の例では、タッチパネル付液晶画面および代表廊下灯などを有する。３は病室患者のベッドサイドに設置されるナースコール子機であり、スピーカ、マイクを含む通話部及び呼出ボタンを有する。ナースコール親機１、個別廊下灯２およびナースコール子機３は相互に有線で接続されている。
【００１２】
４は、ナースコール親機１に接続されたハンディ主装置、５は、これに接続された複数の無線基地局である。６は看護師等が携帯する無線端末であり、無線基地局５との間で無線通信ができる。
【００１３】
次に、図1を参照してナースコールシステムの全体動作を説明する。
まず、ナースコール子機３の呼出ボタンを押すと、呼出信号が個別廊下灯２、ナースコール親機１に送られ、個別廊下灯２およびナースコール親機１は呼出状態となる。すなわち、個別廊下灯２では、呼出患者が表示され、代表灯が点灯または点滅し、近傍にいる看護師などに呼出状態を報知する。ナースコール親機１では、呼出画面に呼出した患者の名前が表示されるとともに、呼出音が鳴動する。必要に応じて、呼出した患者の固有情報が表示される。
【００１４】
同時に、ナースコール子機３で発生した呼出信号は、個別廊下灯２、ナースコール親機１を介して、ハンディ主装置４に送られ、このハンディ主装置４に制御されて無線基地局５が呼出電波が空間に放射される。その結果、無線基地局５の近傍にある無線端末６に呼出画面が表示され、呼出音が鳴動する。
【００１５】
この状態で、ナースコール親機１または無線端末６で応答すれば、呼出状態は解除されるとともに通話回路が閉成され、ナースコール子機３との間で相互に通話ができる。
【００１６】
図２は、ナースコール親機１の待機画面の１例である。
前述したようなナースコール子機１からの呼出があると、どの患者が呼出しているかは、一般的には、氏名部の背景色などを変えて報知できるようにしてある。
図において、７は保守メニューであり、保守ボタン７ａ、超過ボタン７ｂ、第１近接ボタン７ｃ、第２近接ボタン７ｄを含む。
【００１７】
保守ボタン７ａは、監視対象部品の新規、変更、追加、削除の設定を行なうときや、監視対象部品の稼動実績や劣化状況を確認するとき操作するボタンであり、超過ボタン７ｂは、監視対象部品の１つが設定寿命を超過したことを表示するボタンである。
第１近接ボタン７ｃは、余寿命１月に対応するボタンで、監視対象部品のなかに余寿命１ケ月以内のものが含まれていれば、これをボタンの色変化などで表示をする。
同様に、第２近接ボタン７ｄは、余寿命３ケ月に対応するボタンで、監視対象部品のなかに余寿命３ケ月、すなわち、２ケ月以上３ケ月以内のものが含まれていれば、これをボタンの色変化などで表示をする。
なお、第１近接ボタン７ｃ、第２近接ボタン７ｄに定義する余寿命月数は、任意に決めることができる。
【００１８】
図３は、前記保守ボタン７ａの操作により展開される保守メニューのメイン画面の１例である。
この保守メニユー画面において、
１．   
監視対象部品設定
２．   
有寿命部品交換
３．   
製品別余寿命一覧表
４．   
有寿命部品データベース
の個別メニユーを選択することができる。
【００１９】
図４は、前記の「１．監視対象部品設定」の項目を選択することにより表示される監視対象部品設定メニユー画面の１例である。
この画面において設定される項目について説明する。
まず、「型名欄」には、ナースコール親機および個別廊下灯の製品型名を入力する。
「稼働時間／１日当たり」の欄には、１日の中での予想稼動時間を入力するが、ナースコールシステムの場合は、連続通電が原則であり、２４時間として設定される。
「設置場所」は、同一の型名の製品でも区別できるように入力するもので、機器ＩＤとして作用する。
【００２０】
「温度条件」の欄には、一般的には、各設置場所の予想平均気温を入力するが、各機器内の適所に温度センサーを取り付け、その測定値をリアルタイムで自動入力できるようにしても良い。
「稼動開始日」の欄には、個別の製品の稼動開始日が入力される。入力日は予定日であってもよい。
「監視対象部品１」の入力欄にカーソルが移動したときは、本実施例では、監視対象部品展開メニユーを表示し、表示された監視対象部品表から任意に選択できるようになっている。なお、監視対象部品表は、製品型名別に固有のものであり、予め、作成されているものとする。
【００２１】
展開メニユーに用意されている「１．寿命条件」の項目において、図のように、耐用年数５年以下を設定した場合には、下部にある監視対象部品表には、その寿命条件に適合する有寿命部品の行が洗濯されて反転表示される。そのまま、表下部のＯＫボタンを押すと、反転表示された有寿命部品が監視対象部品として登録できる。
他方、「耐用年数」の欄に未入力もしくは５０年などと入力すれば、監視対象部品表に含まれる全ての有寿命部品が選択される。
【００２２】
なお、監視対象部品展開メニユーに表示される有寿命部品一覧表の元データは、製品型名別に区分されて、ナースコール親機１に予め記憶保持されているものとする。
【００２３】
図５は、図３の保守メニューにおける「３．製品別余寿命一覧表」の項目を選択したとき展開される表の１例である。
同表には、ナースコールシステムを構成する個別の製品名の他に、機器ＩＤ、監視対象部品名（有寿命部品名）、稼動開始日（交換日）、稼動実績時間、余寿命、交換通知日、交換予定日、余命月数フラグ等が表示されている。
【００２４】
稼動実績時間は、稼動開始日または交換日を起点として起動される内部のタイマ手段を介して計測される実データが自動入力されるように構成される。
寿命係数は、温度条件で一律に定まる係数であり、耐用年数に寿命係数を掛けて実耐用年数が決定され、余寿命および交換予定日は、この実耐用年数をもとに自動算出される。
【００２５】
余命月数フラグは、計算された余寿命をもとに、余寿命が超過を示す値のときは（−１）、余寿命が対象月数内のときは、月数値を自動表示する。
この余命月数フラグの状態に応じて、図２に示す保守メニュ−７における、保守ボタン７ａ、超過ボタン７ｂ、第１近接ボタン７ｃ、第２近接ボタン７ｄの表示態様が変化する。
【００２６】
すなわち、図５の製品別余寿命一覧表のように、余命月数フラグ−１の有寿命部品が１つでも含まれていれば、これに対応して、図３の待機画面に示されているように、超過ボタン７ｂは、白黒が反転表示される。なお、通常と異なるボタンの表示方法としては、反転表示に限定されるものではなく、例えば、文字色や背景色などを変化させてもよい。
【００２７】
また、ボタンの変化にあわせて、音声ガイドを付加することもできる。たとえば、製品別余寿命一覧表のデータを参照すれば、「親機のハードディスクは耐用年数に達しました」という音声ガイドを実行することも周知技術の応用で簡単にできる。
【００２８】
また、余命月数フラグの１の有寿命部品が含まれているので、このフラグに対応して、第１近接ボタンが反転表示等に変化する。第２近接ボタンの変化で、1ヶ月以内に寿命を超過する監査対象部品があることがわかる。
【００２９】
同様に、余命月数フラグ２の存在により、第２近接ボタンが反転表示等に変化し、３ヶ月以内に寿命を超過する監視対象部品があることを表示する。
【００３０】
なお、図２においては、第１近接ボタンおよび第２近接ボタンには、１月内および３月内と表示され、部品交換日までの月数が１月内および３月内に分けて表示できるが、各近接ボタンに定義する月数は、任意であり、たとえば、第１近接ボタンを２月内、第２近接ボタンを６月内と定義することもできる。
【００３１】
本発明は以上のように構成されるので、ナースコールシステム全体の劣化度は、待機画面などに表示できる保守メニユーを構成する各ボタンの変化を監視すればよく、変化を確認したときは、保守メニユーを展開することにより、どの製品のどの監視対象部品を交換すればよいか簡単に特定することができるる。
【００３２】
図６は、監視対象部品設定で参照されるデータベース例としてしめされる有寿命一覧表である。この一覧表に示されるデータ値は、製品が使用される環境条件、使用条件、動作条件などで変化するものであり、使用実績、故障情報、点検検査情報を累積し、適宜変更可能な設計とする。
【００３３】
図７は、ナースコール親機のブロック図であり、ＣＰＵを含む制御部１０には、個別廊下灯へ接続される子機インターフェース１７、送受器を含む通話部９、呼出音を発生する呼出音部１１、タッチパネル付液晶表示部８、時間を作成するタイマ手段１２、必要に応じて外部ＬＡＮなどに接続されるネットワークインターフェース１３、ハンディ主装置へ接続されるハンディインターフェース、Ｒｅａｄ  Ｏｎｌｙ  ＭｅｍｏｒｙすなわちＲＯＭ１５、Ｒａｎｄｏｍ  Ａｃｃｅｓｓ  ＭｅｍｏｒｙすなわちＲＡＭ１６が接続されている。
【００３４】
ＲＯＭ１５には、ナースコール制御プログラム１５ａ、保守メニュー制御プログラム１５ｂ、その他のプログラム１５ｃがそれぞれ記憶され、これらのプログラム１５ａ、１５ｂ、１５ｃにより、制御部１０が動作し、ナースコール動作はもとより、各種情報の画面表示条件などが制御される。
【００３５】
保守メニュー制御プログラム１５ｂは、保守メニュー７の各ボタンの表示切替制御や保守ボタン７ａの操作に始まる、各種データの入出力制御などを行うプログラムであり、タイマ手段から得られる日時データの読取りなどの制御にも使用される。
【００３６】
他方、ＲＡＭ１６には、有寿命部品マスタファイル１６ａ、製品別有寿命部品マスタファイル１６ｂ、部品交換履歴データ１６ｃ、監視対象部品設定データ１６ｄがそれぞれ記憶されている。
【００３７】
有寿命部品マスタファイル１６ａは前述した有寿命部品一覧表、製品別有寿命部品マスタファイル１６ｂは、同じく前述した製品別有寿命部品一覧表、監視対象部品設定データ１６ｄは、同じく前述した製品別余寿命一覧表に対応するデータである。なお、部品交換履歴データ１６ｃは、有寿命部品を交換した場合に記録されるデータであり、部品寿命計画による交換のみならず寿命に達する以前の、故障交換を含む。
【図面の簡単な説明】
【００３８】
【図１】本発明の１実施例におけるナースコールシステム概略構成図
【図２】本発明の１実施例におけるナースコール親機の待機画面。
【図３】本発明の１実施例における保守メニユー画面。
【図４】本発明の１実施例における監視対象部品設定メニユー画面。
【図５】本発明の１実施例における製品別余寿命一覧表。
【図６】本発明の１実施例における有寿命部品一覧表。
【図７】本発明の１実施例におけるナースコール親機のブロック図。
【符号の説明】
【００３９】
１    ナースコール親機
２    個別廊下灯
３    ナースコール子機
７    保守メニユー
７ａ  保守ボタン
７ｂ  超過ボタン
７ｃ  第１近接ボタン
７ｄ  第２近接ボタン
８    タッチパネル付液晶表示部
１０    制御部（ＣＰＵ）
１２    タイマ手段
１５    ＲＯＭ
１５ａ  ナースコール制御プログラム
１５ｂ  保守メニュープログラム
１６    ＲＡＭ
１６ａ  有寿命部品マスタファイル
１６ｂ  製品別有寿命部品マスタファイル
１６ｃ  部品交換履歴データ
１６ｄ  監視対象部品設定データ
【図１】
2007011435.tif 000003
【図３】
2007011435.tif 000004
【図６】
2007011435.tif 000005
【図７】
2007011435.tif 000006
【図２】
2007011435.tif 000007
【図４】
2007011435.tif 000008
【図５】
2007011435.tif 000009